(57)【要約】【課題】カタログとして使用した後もアルバムとして使用することができるアルバム式カタログオーダーギフトを提供する。【解決手段】ベースフィルム２１及びこのベースフィルム２１に積層された透明フィルム２２を有する複数の袋体６は、表紙２に綴じられている。複数のカタログカード７には、商品Ｃ関する情報及びこの商品Ｃに対応する識別符号Ｎを夫々掲載されている。カタログカード７は、ベースフィルム２１と透明フィルム２２との間に設けられた収容部２６に取り出し可能に収容されている。ベースフィルム２１は、その一端側に表紙２に綴じられる綴じ部２５を有する。袋体６は、綴じ部２５側に、収容部２６を外方に開放させ、カタログカード７が出し入れ可能な挿脱口２３を有する。【選択図】      図３
2005199686.tif 000002
【特許請求の範囲】
【請求項１】
表紙と、
ベースフィルム及びこのベースフィルムに積層された透明フィルムを有し、前記ベースフィルムと前記透明フィルムとの間に収容部が設けられ、前記表紙に綴じられた複数の袋体と、
商品に関する情報及びこの商品に対応する識別符号が夫々掲載され、前記収容部に取り出し可能に収容された複数のカタログカードと、
所望の商品と引き換える引き換え手段とを具備し、
前記ベースフィルムは、その一端側に前記表紙に綴じられる綴じ部を有しているとともに、前記袋体は、前記綴じ部側に、前記収容部を外方に開放させ、前記カタログカードを前記収容部に出し入れ可能な挿脱口を有していることを特徴とするアルバム式カタログオーダーギフト。
【請求項２】
前記透明フィルムは、前記ベースフィルムを挟むように設けられていることを特徴とする請求項１に記載のアルバム式カタログオーダーギフト。
【請求項３】
前記ベースフィルムは、その一端側に、前記透明フィルムの一端側の縁部よりも外側に張出す張出し部を有しているとともに、前記張出し部に前記綴じ部が設けられていることを特徴とする請求項１又は２に記載のアルバム式カタログオーダーギフト。
【請求項４】
表紙と、
夫々が１以上の収容部を有し、表紙に綴じられた複数の袋体と、
商品に関する情報及びこの商品に対応する識別符号が掲載され、２以上の収容部に取り出し可能に収容された複数のカタログカードと、
１以上の収容部に取り出し可能に収容されたポストカードと、
所望の商品と引き換える引き換え手段とを具備することを特徴とするアルバム式カタログオーダーギフト。
【請求項５】
前記複数の袋体は、夫々、ベースフィルムとこのベースフィルムに積層された透明フィルムとを有しているとともに、前記ベースフィルムと前記透明フィルムとの間に前記収容部が設けられていることを特徴とする請求項４に記載のアルバム式カタログオーダーギフト。
【請求項６】
前記透明フィルムは、前記ベースフィルムを挟むように設けられていることを特徴とする請求項５に記載のアルバム式カタログオーダーギフト。
【請求項７】
前記ベースフィルムは、その一端に前記表紙に綴じられる綴じ部を有しているとともに、前記袋体は、前記綴じ部側に、前記収容部を外方に開放させる挿脱口を有していることを特徴とする請求項５又は６に記載のアルバム式カタログオーダーギフト。
【請求項８】
前記ベースフィルムは、その一端に、前記透明フィルムの一端よりも外側に張出す張出し部を有しているとともに、前記張出し部に前記綴じ部が設けられていることを特徴とする請求項７に記載のアルバム式カタログオーダーギフト。
【請求項９】
前記表紙は、第１の表紙部と、第２の表紙部と、前記第１の表紙部と前記第２の表紙部との間に設けられた背表紙部とを有しており、前記第１又は第２の表紙部の少なくとも一方の外方に露出する露出面に額が設けられていることを特徴とする請求項１乃至８のいずれか１項に記載のアルバム式カタログオーダーギフト。
【請求項１０】
前記表紙は、前記背表紙の長手方向を設置面と直交させるように配置した状態で前記設置面に自立可能に形成されている請求項９に記載のアルバム式カタログオーダーギフト。
【発明の詳細な説明】
【技術分野】
【０００１】
本発明は、ギフトを贈られる受取人がカタログに掲載された複数の商品の中から所望の商品を選ぶ、いわゆるカタログギフト用のカタログとして好適に使用できるアルバム式カタログオーダーギフトに関する。
【背景技術】
【０００２】
結婚祝いのお返し等の場合、贈与人が自らのセンスで贈答品（ギフト）を選択すると、受取人側としてはせっかく贈与されても不要であるという場合がある。そのため、近年、ギフトを贈る贈与人が商品を選ぶのではなく、ギフトを贈られる受取人がカタログに掲載された複数の商品の中から所望の商品を選ぶ、いわゆるカタログギフトが盛んに用いられるようになってきている。
【０００３】
カタログギフトとは、以下のような仕組みになっている。ギフト代行店は、複数の商品及びこれらのギフトに対応する商品番号が記載されたカタログを各予算や目的等に応じて複数用意している。また、このカタログには、商品番号を記載してギフト代行店に申し込む申し込み葉書が添付されている。
【０００４】
贈与人は、予算や目的に応じたカタログを選択するだけでよい。これにより、受取人には、ギフト代行店から前記選択されたカタログが配布される。受取人は、この配布されたカタログに掲載されている複数の商品の中から所望の商品を選択し、選択した商品に対応する商品番号を添付されている申し込み葉書に記載して、この葉書をギフト代行店に郵送する。ギフト代行店が申し込み葉書を受領すると、受取人が選択したギフトをこの受取人に送付する。これにより、受取人には、贈与人から所望の商品が贈られることとなる。
【０００５】
上述のようなカタログギフトで使用されるカタログとしては、従来、複数の商品及びこれらのギフトに対応する商品番号が記載された小冊子（例えば中綴じ本）からなるカタログや、複数の商品及びこれらのギフトに対応する商品番号が夫々記載されたカタログカードを箱に収容してなるカタログ等が知られている。
【発明の開示】
【発明が解決しようとする課題】
【０００６】
しかしながら、カタログギフトは、紙に印刷されたカタログのみが贈られるため、贈与人の気持ちやあたたかさが受取人に伝わりに難いという問題がある。しかも、カタログギフトで使用される従来のカタログは、受取人が商品を選択した時点で不要となり破棄されてしまうのが普通である。したがって、受取人は、商品を受け取ってからある程度の期間が経過すると、その商品はいつ誰から贈られた商品だったかを忘れてしまうことが多い。つまり、結婚式の引き出物としてカタログギフトが用いられた場合、誰の結婚式に出席して贈られた物かを忘れてしまいやすい。
【０００７】
この発明は、上記のような問題を解決するためになされたものであり、カタログとして使用した後もアルバムとして使用することができるアルバム式カタログオーダーギフトの提供を目的とする。
【課題を解決するための手段】
【０００８】
本発明の第１の形態に係るアルバム式カタログオーダーギフトは、表紙と、ベースフィルム及びこのベースフィルムに積層された透明フィルムを有し、前記ベースフィルムと前記透明フィルムとの間に収容部が設けられ、前記表紙に綴じられた複数の袋体と、商品に関する情報及びこの商品に対応する識別符号が夫々掲載され、前記収容部に取り出し可能に収容された複数のカタログカードと、所望の商品と引き換える引き換え手段とを具備し、前記ベースフィルムは、その一端側に前記表紙に綴じられる綴じ部を有しているとともに、前記袋体は、前記綴じ部側に、前記収容部を外方に開放させ、前記カタログカードを前記収容部に出し入れ可能な挿脱口を有している。
【０００９】
本発明の第１の形態に係るアルバム式カタログオーダーギフトによれば、カタログとして使用した後もアルバムとして使用することができる。
【００１０】
しかも、袋体は、綴じ部側に、カタログカードを収容部に出し入れするための挿脱口を有している。そのため、ベースフィルムに摩擦係数を大きくするような滑り止め加工等を施さなくても、収容部に収容したカタログカードが不用意に脱落し難い。したがって、ベースフィルムを摩擦係数の小さい素材によって形成することができるため、ギフト代行店等がカタログを作る際にカタログカードを収容部に簡単にセットすることができる。
【００１１】
本発明の第２の形態に係るアルバム式カタログオーダーギフトは、表紙と、夫々が１以上の収容部を有し、表紙に綴じられた複数の袋体と、商品に関する情報及びこの商品に対応する識別符号が掲載され、２以上の収容部に取り出し可能に収容された複数のカタログカードと、１以上の収容部に取り出し可能に収容されたポストカードと、所望の商品と引き換える引き換え手段とを具備する。
【００１２】
本発明の第２の形態に係るアルバム式カタログオーダーギフトによれば、カタログとして使用した後もアルバムやポストカードとして使用することができる。
【発明の効果】
【００１３】
この発明によれば、カタログとして使用した後もアルバムとして使用することができるアルバム式カタログオーダーギフトが得られる。
【発明を実施するための最良の形態】
【００１４】
以下、図１乃至図５を参照して、本発明の第１の実施形態を説明する。
【００１５】
図２及び図３等に示すように、アルバム式カタログオーダーギフト（カタログギフト式アルバム）１は、表紙２、複数の袋体６、複数のカタログカード７、及び、商品Ｃに対応する識別符号Ｎを記載して該商品Ｃと引き換える引き換え手段としての申し込み用葉書８等を備えている。
【００１６】
図１乃至図３に示すように、表紙２は、表表紙３、裏表紙４、及び背表紙５を有している。表表紙３及び裏表紙４は、同形の矩形状に形成されている。表表紙３及び裏表紙４の大きさは、例えば略Ｂ６程度（上下１６〜１９ｃｍ程度×左右１２〜１５ｃｍ程度）とすることができる。
【００１７】
背表紙５は、表表紙３及び裏表紙４と同じ高さを有するとともに、所定の幅を有する細長な矩形状に形成されている。この表紙２は、例えば、表表紙３の中芯となる表表紙用厚紙（図示せず）、背表紙５の中芯となる背表紙用厚紙（図示せず）、及び裏表紙４の中芯となる裏表紙用厚紙（図示せず）を、紙、布、或いは皮等からなる包装部材で包むことにより形成されている。
【００１８】
本実施形態では、表表紙用厚紙、背表紙用厚紙、及び背表紙用厚紙の各表面は、例えば人工スエード等からなる第１の包装部材１４で覆われているとともに、各裏面は、例えば紙等からなる第２の包装部材１５で覆われている。詳しくは、表表紙用厚紙、背表紙用厚紙、及び背表紙用厚紙の各表面と各裏面の縁部（表表紙用厚紙と背表紙用厚紙との互いに対向する縁部及び背表紙用厚紙と背表紙用厚紙との互いに対向する縁部を除く）とを包むように、これら厚紙に第１の包装部材１４が貼り付けられている。また、表表紙用厚紙、背表紙用厚紙、及び背表紙用厚紙の各裏面には、これら厚紙の各裏面の縁部にまで貼り付けられた第１の包装部材１４の縁部と重なるように、第２の包装部材１５が貼り付けられている。したがって、表紙２は、いわゆる上製本の表紙のように形成されている。
【００１９】
この表紙２は、表表紙３、背表紙５、及び裏表紙４に厚みを持たせるとともに、背表紙５に幅を持たせることにより、図１に示すように、背表紙５の長手方向を設置面と直交させるように配置した状態で自立可能となるように形成されている。
【００２０】
表紙２の前面、すなわち、表表紙３の表面には、額部材９が設けられている。額部材９は、開口部１１を有する矩形状の枠体１０及びこの枠体１０が有する開口部１１を閉塞するように設けられたフィルム状の透明板１２を有している。枠体１０は、例えば、この枠体１０の中芯となる枠体用厚紙（図示せず）を第１の包装部材１４と同素材の第３の包装部材１６で包むことにより形成されている。透明板１２は、開口部１１を閉塞させるように、枠体１０の表表紙３と対向する面側（内面側）に接着されている。なお、透明板１２は省略してもよい。
【００２１】
この額部材９は、例えば、枠体１０の四辺１０ａ，１０ｂ，１０ｃ，１０ｄのうちの三辺、例えば辺１０ａ，１０ｂ，１０ｃを表紙２に固定することで、この表紙２の前面に取付けられている。本実施形態では、第３の包装部材１６によって額部材９を包む際に、表表紙３の四辺３ａ，３ｂ，３ｃ，３ｄのうちの三辺３ａ，３ｂ，３ｃを前記額部材９と一緒に包み込むことで、額部材９が表紙２に固定されている。
【００２２】
また、表表紙３の辺３ｄ側の縁部と枠体１０の辺１０ｄ側の縁部とは接合されていない。すなわち、表表紙３の辺３ｄ側（枠体１０の辺１０ｄ側）においては、表表紙３と枠体１０との間に、挿脱口（隙間）２３が設けられている。したがって、表表紙３と枠体１０との間には、前記挿脱口２３を介して略葉書サイズの紙片、例えば、所望の写真、葉書、又はカード等が出し入れ可能に収容される。表表紙３と枠体１０との間に収容された略葉書サイズの紙片の紙片は、透明板１２を介して外方に露出される。
【００２３】
上述のように、この表紙２は、額部材９を有しているとともに、背表紙５を設置面と直交させるように配置した状態で前記設置面Ｆに自立可能に形成されている。そのため、アルバム式カタログオーダーギフト１は、図１に示すように、表表紙３と額部材９との間に所望の写真、葉書、或いはカード等を挿入することで、写真立てとして使用できる。
【００２４】
なお、表紙２の背面、すなわち、裏表紙４の表面には、例えば贈った人の名前等、文字、言葉、絵柄等といった所望の情報を記載してもよい。同様に、表紙２の前面、すなわち、表表紙３の表面にも、文字、言葉、絵柄等といった所望の情報を記載したり、或いは、文字、言葉、絵柄等を彫りこんだ金具等の飾り部材を取付る等してもよい。結婚祝いのお返しの場合には、表紙２に、新郎新婦の名前や結婚式の日時・場所等を印刷したり箔押したりしてもよい。また、新郎新婦の名前や結婚式の日時・場所等を印刷・彫刻等した飾り部材を表紙２に取付ける等してもよい。
【００２５】
図２に示すように、複数の袋体６は、不透明な矩形状のベースフィルム２１、及びこのベースフィルム２１に積層された矩形状の透明フィルム２２を有しており、前記表紙２に綴じられている。透明フィルム２２は、例えば、ベースフィルム２１を挟むように設けられている。このようにすることにより、袋体６は、ベースフィルム２１の表面と透明フィルム２２との間、及び、ベースフィルム２１の裏面と透明フィルム２２との間に、１つずつ計２つの縦長な収容部２６を有することとなる。各収容部２６は、例えば略葉書サイズ（上下１５ｃｍ程度×左右１０ｃｍ程度）の紙片が縦置きで収容可能な大きさとされている。
【００２６】
収容部２６は、袋体６の三辺６ａ，６ｂ，６ｃに対応する部分が塞がれており、袋体６の辺６ｄに対応する部分が外方に開放している。すなわち、辺６ｄ側においては、ベースフィルム２１と透明フィルム２２との間に挿脱口（隙間）２３が設けられている。したがって、ベースフィルム２１と透明フィルム２２との間に設けられた収容部２６には、前記挿脱口２３を介して略葉書サイズの紙片、例えば、カタログカード７や、所望の写真、葉書、又はカード等の紙片が計２枚出し入れ可能に収容されている。
【００２７】
また、ベースフィルム２１は、その一端側（袋体６の辺６ｄ側）に、透明フィルム２２の一端側の縁部よりも外側に張出す張出し部２１ａを有している。袋体６が表紙２に綴じられる綴じ部２５は、この張出し部２１ａの縁部に設けられている。したがって、袋体６の挿脱口２３は、袋体６が表紙２に綴じられる綴じ部２５側（いわゆる喉側）に設けられることとなる。
【００２８】
各カタログカード７には、その一面（掲載面）に、商品Ｃに関する情報（商品Ｃの写真や絵、或いは商品Ｃの説明等）及びこの商品Ｃに対応する識別符号（例えば、商品番号）Ｎが夫々掲載されている。カタログカード７は、袋体６の収容部２６に収容可能な大きさに形成されている。すなわち、本実施形態では、カタログカード７は、略葉書サイズに形成されている。なお、１枚のカタログカード７に１つの商品Ｃに関する情報及びこれに対応する識別符号Ｎを掲載してもよく、また、１枚のカタログカード７に複数の商品Ｃに関する情報及びこれらに対応する複数の識別符号Ｎを掲載してもよい。
【００２９】
図２及び図３に示すように、各カタログカード７は、掲載面を外方に向けた状態で袋体６の各々収容部２６に１つずつ収容されている。カタログカード７の枚数は、掲載する商品Ｃの数により決定すればよく、袋体６の枚数は、カタログカード７の枚数と収容部２６の数とが等しく又はそれ以上となるように決定すればよい。なお、袋体６の収容部２６には、カタログカード７だけでなく、例えば、贈与人から受取人へのメッセージを記載したメッセージカード等を収容するようにしてもよい。
【００３０】
図２に示すように、最も裏表紙４側の袋体６と裏表紙４の内面との間には、所望の識別符号Ｎを記載して申し込む申し込み用葉書８が挟み込まれている。なお、申し込み用葉書８は、最も表表紙３側の袋体６と表表紙３の内面との間に挟み込んでもよく、また、複数の袋体６のうちのいずれの袋体６の収容部２６に収容させてもよい。
【００３１】
ところで、袋体６の収容部２６にカタログカード７を収容する場合、カタログカード７をベースフィルム２１上において滑らせながら、挿脱口２３を介して収容部２６に挿入することでなされる（図３参照）。そのため、カタログカード７の挿脱の容易さを考えれば、ベースフィルム２１としては、表面の摩擦係数が小さい素材によって形成し、且つ、その表面に凹凸等の摩擦係数を大きくするような滑り止め加工を施さないのが望ましい。
【００３２】
しかしながら、ベースフィルム２１の表面の摩擦係数が小さい場合、挿脱口が袋体６の上側（辺６ａ側）に設けられていると、表紙２の上側を下方に向けた際に前記挿脱口を介してカタログカード７が不用意に脱落するおそれがある。同様に、挿脱口が袋体６の下側（辺６ｂ側）に設けられていると、表紙２の下側を下方に向けた際に前記挿脱口を介してカタログカード７が不用意に脱落するおそれがあり、挿脱口が前小口側（辺６ｃ側）に設けられていると、表紙２の小口側を下方に向けた際に前記挿脱口を介してカタログカード７が不用意に脱落するおそれがある。カタログカード７の不用意な脱落はカタログの落丁となってしまうため、したがって、このような位置に挿脱口２３を設ける際には、ベースフィルム２１の表面に、凹凸等の摩擦係数を大きくするような滑り止め加工は施す等の対策が求められる。
【００３３】
このような事情から、本実施形態のアルバム式カタログオーダーギフト１では、挿脱口２３を袋体６の綴じ部２５側に設けている。このようにすることにより、表紙２の背表紙５側を下方に向けても、カタログカード７の左右方向の動きが表紙２の喉側に設けられた綴じ部２５によって妨げられるので、カタログカード７が挿脱口２３から不用意に脱落し難い。したがって、ベースフィルム２１を摩擦係数が小さい素材によって形成することが可能となる。
【００３４】
また、上述のような袋体６は、例えば、挿脱口２３を互いに対向させるように配置された２組の袋体６からなる袋部材３０を形成することによって実現させることができる。袋部材３０は、複数個を連続して形成することができるので、袋部材３０により袋体６を実現させると、袋体６を安価に形成することができる。
【００３５】
袋部材３０は、例えば、以下のようにすることで、複数個を連続して形成することができる（図４参照）。  
まず、２つのベースフィルム２１を横に並べた幅（ベースフィルム２１の幅の２倍の幅）を有する不透明な第１のフィルム３１を連続的に繰出す。透明フィルム２２となる透明な第２のフィルム３２を連続的に繰出し、第１のフィルム３１の一側に巻きつける（挟み込ませる）とともに、透明フィルム２２となる透明な第３のフィルム３３を連続的に繰出し、第１のフィルム３１の他側に巻きつける（挟み込ませる）。このとき、第１のフィルム３１の中間部、すなわち、２組の袋体６の夫々の張出し部２１ａとなる領域には、第２及び第３のフィルム３２，３３が積層されないようにしておく。
【００３６】
第１乃至第３のフィルム３１，３２，３３を、求める袋体６の上下方向の長さと等しくなるような所定の間隔でプレスし、第１乃至第３のフィルム３１，３２，３３を熱圧着するとともに裁断する。これにより、一方の袋体６が備える透明フィルム２２（第２のフィルム３２により形成された部分）の上縁部及び下縁部と、他方の袋体６が備える透明フィルム２２（第３のフィルム３３により形成された部分）の上縁部及び下縁部がベースフィルム２１の上縁部及び下縁部に接合される。
【００３７】
すなわち、ベースフィルム２１の表面側に積層される透明フィルム２２と裏面側に積層される透明フィルム２２とは、もともとは一枚のフィルム（第２のフィルム３２又は第３のフィルム３３）であるため、袋部材３０の前小口側の端部（２組の袋体６の夫々の辺６ｃ側）においては、ベースフィルム２１の表面側に積層される透明フィルム２２と裏面側に積層される透明フィルム２２とが連続している。したがって、収容部２６の前小口側は閉塞されている。一方、袋部材３０の中央側（２組の袋体６の夫々の辺６ｄ側）は、透明フィルム２２とベースフィルム２１とが接合されないので挿脱口２３となる。
【００３８】
また、このように形成した袋部材３０は、例えば、以下のようにして表紙２に綴じることができる。  
図５に示すように、複数の袋部材３０を積層させることで積層体４０を形成する。積層体４０が一体となるように、積層体４０の中央部、すなわち、一方の袋体６の張出し部２１ａと他方の袋体６の張出し部２１ａとの境界部分を熱圧着する。これにより、図２及び図３に示すような袋体ユニット４２が形成される。熱圧着された部分は、袋体６の綴じ部２５となる。
【００３９】
この袋体ユニット４２を１以上例えば２組用意する。一方の袋体ユニット４２を熱圧着部（綴じ部２５）において２つ折とし、袋体ユニット４２のうちの最も下に位置する袋部材３０の綴じ部２５近傍を台座４１に接合させる。同様に、他方の袋体ユニット４２を熱圧着部（綴じ部２５）において２つ折とし、一方の袋体ユニット４２をと並べて、他方の袋体ユニット４２のうちの最も下に位置する袋部材３０の綴じ部２５近傍を台座４１を接合させる。なお、これら袋体ユニット４２は、積層体４０を熱圧着（接合）する際に、これと同時に台座４１に接合させてもよい。そして、図２及び図３に示すように、台座４１を背表紙５の裏面に貼り付けることで、複数の袋体６を表紙２に綴じる。
【００４０】
このアルバム式カタログオーダーギフト１は、以下のようにして使用する。
【００４１】
ギフト代行店等がカタログを作る際には、所望のカタログカード７を袋体６の各収容部２６に１つ１つ挿入させていく。上述のように、ベースフィルム２１には滑り止め加工等が施されていないため、カタログカード７は、ベースフィルム２１上を良好に滑りながら挿脱口２３を介して袋体６の収容部２６に収容される。したがって、カタログカード７のセット作業が簡単である。
【００４２】
しかも、ベースフィルム２１は、その一端側に、透明フィルム２２の一端側の縁部よりも外側に張出す張出し部２１ａを有しており、張出し部２１ａの縁部に綴じ部２５が設けられている。したがって、挿脱口２３と綴じ部２５との間が張出し部２１ａの幅の分だけ離間されている。挿脱口２３と綴じ部２５との間が狭いと、綴じ部２５を避けるようにカタログカード７を大きく撓ませながら収容部２６に差し込む必要があるが、上述のように、挿脱口２３と綴じ部２５との間が張出し部２１ａの幅分だけ離間されているため、収容部２６へのカタログカード７の挿入が容易である。さらに、一旦収容部２６に収容されたカタログカード７は、アルバム式カタログオーダーギフト１を閉じた状態（図１参照）においては、その左右方向の動きが綴じ部２５によって妨げられるので、挿脱口２３から不用意に脱落し難い。
【００４３】
カタログカード７がセットされたアルバム式カタログオーダーギフト１は、贈与人からの指示により、受取人に配布される。受取人は、複数のカタログカード７に記載された複数の商品Ｃの中から所望の商品Ｃを選択する。複数の商品Ｃの中から所望の商品Ｃを選択する際は、表紙２に綴じられた袋体６をめくって各カタログカード７を閲覧する。商品Ｃを選択したら、選択した商品Ｃに対応する識別符号Ｎを添付されている申し込み用葉書８に記載して申し込む。
【００４４】
商品Ｃ選択後は、カタログカード７を袋体６から取り出して破棄する。上述のように、ベースフィルム２１の表面が滑らかであり、しかも、挿脱口２３と綴じ部２５との間が張出し部２１ａの幅分だけ離間されている。したがって、カタログカード７は、ベースフィルム２１上を良好に滑りながら挿脱口２３を介して袋体６の収容部２６から取り出される。したがって、カタログカード７の排除が簡単である。
【００４５】
カタログカード７の破棄後は、袋体６に、所望の写真、葉書、年賀状、名刺、カード、或いは、新聞・雑誌の切り抜きスクラップ等を収容させることで通常のアルバム或いはスクラップブックとして使用することができる。また、表表紙３と額部材９との間に所望の写真等を差込むことで、写真立てとして使用することもできる。
【００４６】
また、結婚祝いのお返しの場合、裏表紙４の背面に、新郎新婦の名前や結婚式の日時・場所等を印刷しておくと、上述のようにカタログカード７を破棄した後でも、そのアルバム式カタログオーダーギフト１を見れば誰の結婚祝いのお返しに贈られたものであるかがすぐにわかる。したがって、贈られた商品Ｃだけでなく、アルバム式カタログオーダーギフト１自体もアルバムとして記念の品となる。
【００４７】
さらに、アルバム式カタログオーダーギフト１の形状、色、印刷する言葉等に贈与人のセンスを生かすことができるため、贈与人の気持ちやあたたかさが受取人により伝わり易い。しかも、受取人側としては、所望の商品Ｃを受け取ることができる。
【００４８】
以上のように、本実施形態のアルバム式カタログオーダーギフト１によれば、ベースフィルム２１は、その一端側（袋体６の辺６ｄ側）に表紙２に綴じられる綴じ部２５を有しているとともに、袋体６は、綴じ部２５側に収容部２６を外方に開放させる挿脱口２３を有している。そのため、一旦収容部２６に収容されたカタログカード７は、その動きが綴じ部２５によって妨げられるので、表紙２の上側を下方に向けたり、表紙２の綴じ部２５側とは反対側（いわゆる前小口側）を下方に向けたりしても、カタログカード７が挿入口から不用意に脱落し難い。したがって、摩擦係数の小さい材料によりベースフィルム２１を形成することが可能となる。しかも、ベースフィルム２１に脱落防止用の滑り止め加工等を施す必要も無い。
【００４９】
したがって、本実施形態のアルバム式カタログオーダーギフト１によれば、ベースフィルム２１上を滑らせながらカタログカード７を袋体６の収容部２６に収容することができるため、カタログを作る際のカタログカード７のセットを簡単に行うことができる。
【００５０】
また、摩擦係数の小さい材料によりベースフィルム２１を形成することが可能であるので、袋体６からのカタログカード７の取り出しもまた容易である。したがって、商品Ｃを選択した後には、袋体６から各カタログカード７を簡単に取り出すことができる。そして、この袋体６の収容部２６に、所望の写真、葉書、年賀状、名刺、カード、或いは、新聞・雑誌の切り抜きスクラップ等を収容させることで、通常のアルバム或いはスクラップブックとして使用することができる。
【００５１】
さらに、透明フィルム２２は、ベースフィルム２１を挟むように設けられているため、ベースフィルム２１の両面に収容部２６を設けることができる。したがって、１つの袋体６でより多くのカタログカード７等を収容することができる。
【００５２】
しかも、ベースフィルム２１は、その一端側に、透明フィルム２２の一端側の縁部よりも外側に張出す張出し部２１ａを有しているとともに、張出し部２１ａの縁部に綴じ部２５が設けられている。すなわち、挿脱口２３と綴じ部２５との間が張出し部２１ａの幅分だけ離間されているため、綴じ部２５を避けるようにカタログカード７等を大きく撓まることなく、カタログカード７等の挿脱させることができる。
【００５３】
以下、本発明の第２の実施形態を、図６を参照して説明する。  
本実施形態では、表表紙３及び裏表紙４を、例えば略Ｂ５程度（２３〜２５ｃｍ程度×左右１８〜２０ｃｍ程度）としている。袋体６は、略葉書サイズの紙片が横置きで収容可能な収容部２６を有している。詳しくは、袋体６は、上下方向の略中間部に仕切り部２７を有している。これにより、袋体６には、略葉書サイズが収容可能な大きさの横長の収容部２６が上下に２つ設けられることとなる。つまり、１つの袋体６は、ベースフィルム２１と透明フィルム２２との間に表２つ裏２つの計４つの収容部２６を有している。
【００５４】
上述のように、本実施形態では、１つの袋体６に収容可能なカタログカード７の枚数が第１の実施形態が備える袋体６と比べて２倍である。したがって、１つの袋体ユニット４２を台座４１を介して表紙２に固定するようにしている。つまり、表表紙３及び裏表紙４の大きさが大きくなった分、背表紙５の幅が小さく形成されている。なお、他の構成は、図示しない部分を含めて上述した第１の実施形態と同じであるから、重複する説明は図に同符号を付して省略する。本実施形態でも、第１の実施形態と同様の効果が得られる。
【００５５】
なお、第１及び第２の実施形態では、ベースフィルム２１を不透明なフィルムにより形成しているが、ベースフィルム２１は透明であっても不透明であってもよい。また、透明フィルム２２は、ベースフィルム２１を挟むように、ベースフィルム２１の両面に積層させているが、透明フィルム２２は、ベースフィルム２１の表面及び裏面のうちの一方の面のみに積層させてもよい。
【００５６】
また、袋体６は、袋部材３０を採用することなく、１つずつ個々に形成してもよい。その場合には、ベースフィルム２１とこれを挟む一対の透明フィルム２２を用意し、張り出し縁部２１ａ側となる一辺以外の他の三辺を互いに接合させることで実現可能である。表紙２に綴じる袋体６の枚数は任意である。
【００５７】
以下、図７乃至図９を参照して、本発明の第３の実施形態を説明する。本実施形態のアルバム式カタログオーダーギフト１は、表紙２、複数の袋体６、複数のカタログカード７、１以上のポストカード２０、及び、所望の商品Ｃと引き換える引き換え手段としての申し込み手段等を備えている。申し込み手段は、商品Ｃに対応する識別符号Ｎを記載して該商品Ｃを申し込むものであって、例えば、申し込み葉書８を用いることができる。
【００５８】
表紙２は、第１の実施形態のアルバム式カタログオーダーギフト１と同様に、第１の表紙部としての表表紙部３、第２の表紙部としての裏表紙部４、及び表表紙部３と裏表紙部４との間に設けられた背表紙部５を有している。表表紙部３及び裏表紙部４は、同形の矩形状に形成されている。表表紙部３及び裏表紙部４の大きさは、例えば略Ｂ６程度（上下１６〜１９ｃｍ程度×左右１２〜１５ｃｍ程度）とすることができる。背表紙部５は、表表紙部３及び裏表紙部４と同じ高さを有するとともに、所定の幅を有する細長な矩形状に形成されている。この表紙２は、例えば、表表紙部３の中芯となる表表紙用厚紙（図示せず）、裏表紙部４の中芯となる裏表紙用厚紙（図示せず）、及び、背表紙部５の中芯となる背表紙用厚紙（図示せず）を、紙、布、或いは皮等からなる包装部材で包むことにより形成されている。
【００５９】
本実施形態では、表表紙用厚紙、裏表紙用厚紙、及び背表紙用厚紙の各表面は、例えば人工スエード等からなる第１の包装部材１４で覆われている。また、表表紙用厚紙、裏表紙用厚紙、及び背表紙用厚紙の各裏面は、例えば紙等からなる第２の包装部材１５で覆われている。詳しくは、表表紙用厚紙、裏表紙用厚紙、及び背表紙用厚紙の各表面の全面及び各裏面の周縁（表表紙用厚紙の周縁と背表紙用厚紙の周縁との互いに対向する部分及び裏表紙用厚紙の周縁と背表紙用厚紙の周縁との互いに対向する部分を除く）を包むように、これら厚紙に第１の包装部材１４が貼り付けられている。また、表表紙用厚紙、裏表紙用厚紙、及び背表紙用厚紙の各裏面には、これら厚紙の各裏面の周縁にまで貼り付けられた第１の包装部材１４の縁部と重なるように、第２の包装部材１５が貼り付けられている。したがって、表紙２は、いわゆる上製本の表紙のように形成されている。
【００６０】
この表紙２は、表表紙部３、裏表紙部４、及び背表紙部５に厚みを持たせるとともに、背表紙部５に所定の幅を持たせることにより、背表紙部５の長手方向を設置面Ｆと直交させるように配置した状態で自立可能となるように形成されている。
【００６１】
表紙２の前面、すなわち、表表紙部３の外方に露出する露出面（表面）には、額９が設けられている。額９は、開口部１１を有する矩形状の枠体１０及びこの枠体１０が有する開口部１１を閉塞させるように設けられたフィルム状の透明板１２を有している。枠体１０は、例えば、この枠体１０の中芯となる枠体用厚紙（図示せず）を第１の包装部材１４と同素材の第３の包装部材１６で包むことにより形成されている。透明板１２は、開口部１１を閉塞させるように、枠体１０の表表紙部３と対向する面側（内面側）に接着されている。なお、透明板１２は省略してもよい。
【００６２】
この額９は、例えば、枠体１０の四辺１０ａ，１０ｂ，１０ｃ，１０ｄのうちの三辺、例えば辺１０ａ，１０ｂ，１０ｃを表紙２に固定することで、この表紙２の前面に取付けられている。本実施形態では、第３の包装部材１６によって額９を包む際に、表表紙部３の四辺３ａ，３ｂ，３ｃ，３ｄのうちの三辺３ａ，３ｂ，３ｃを前記額９と一緒に包み込むことで、額９が表紙２に固定されている。
【００６３】
また、表表紙部３の辺３ｄ側の縁部と枠体１０の辺１０ｄ側の縁部とは接合されていない。すなわち、表表紙部３の辺３ｄ側（枠体１０の辺１０ｄ側）には、表表紙部３と枠体１０との間に、挿脱口（隙間）２３が設けられている。したがって、表表紙部３と枠体１０との間には、前記挿脱口２３を介して略葉書サイズの紙片、例えば、所望の写真、葉書、又はカード等を出し入れ可能に収容することができる。表表紙部３と枠体１０との間に収容された略葉書サイズの紙片は、透明板１２を介して外方から視認することができる。
【００６４】
上述のように、この表紙２は、額９を有しているとともに、背表紙部５を設置面Ｆと直交させるように配置した状態で前記設置面Ｆに自立可能に形成されている。そのため、本実施形態のアルバム式カタログオーダーギフト１もまた、第１の実施形態のアルバム式カタログオーダーギフト１のように、表表紙部３と額９との間に所望の写真、葉書、或いはカード等を挿入することで、写真立てとして使用できる。
【００６５】
なお、上記額９は、表紙２の背面、すなわち、裏表紙部４の外方に露出する露出面（表面）に設けてもよい。また、表紙２（表表紙部３、裏表紙部４、及び背表紙５の表面や裏面）には、例えば贈った人の名前等、文字、言葉、絵柄等といった所望の情報を記載したり、文字、言葉、絵柄等を彫りこんだ金具等の飾り部材を取付けたりしてもよい。例えば、結婚祝いのお返しの場合には、表紙２に、新郎新婦の名前や結婚式の日時・場所等を印刷したり箔押したり、新郎新婦の名前や結婚式の日時・場所等を印刷・彫刻等した飾り部材を取付ける等してもよい。
【００６６】
図７乃至図９に示すように、複数の袋体６は、不透明な矩形状のベースフィルム２１、及びこのベースフィルム２１に積層された矩形状の透明フィルム２２を有しており、前記表紙２に綴じられている。透明フィルム２２は、例えば、ベースフィルム２１を挟むように設けられている。このようにすることにより、袋体６は、ベースフィルム２１の表面と透明フィルム２２との間、及び、ベースフィルム２１の裏面と透明フィルム２２との間に、１つずつ計２つの縦長な収容部２６を有することとなる。各収容部２６は、例えば略葉書サイズ（上下１５ｃｍ程度×左右１０ｃｍ程度）の紙片が縦置きで収容可能な大きさとされている。
【００６７】
袋体６は、辺６ａ，６ｂ，６ｃに対応する部分が塞がれており、辺６ｄに対応する部分が外方に開放している。すなわち、袋体６は、辺６ｄ側に、収容部２６を外方に露出させる挿脱口（隙間）２３を有することとなる。ベースフィルム２１と透明フィルム２２との間に設けられた２つの収容部２６には、前記挿脱口２３を介して略葉書サイズの紙片、例えば、カタログカード７や、所望の写真、葉書、又はカード等の紙片が計２枚出し入れ可能に収容されている。なお、挿脱口２３は、上方、下方、或いは、小口方向（綴じ部とは反対の方向）に開放するように設けてもよい。すなわち、挿脱口２３は、辺６ａ側、辺６ｂ側、或いは、辺６ｃ側に設けてもよい。
【００６８】
また、ベースフィルム２１は、その一端側、例えば、辺６ｄ側に、透明フィルム２２の一端側の縁部よりも外側に張出す張出し部２１ａを有している。袋体６が表紙２に綴じられる綴じ部２５は、この張出し部２１ａの縁部に設けられている。したがって、袋体６の挿脱口２３は、袋体６が表紙２に綴じられる綴じ部２５側（いわゆる喉側）に設けられることとなる。なお、張り出し部２１ａは、省略してもよい。透明フィルム２２とベースフィルム２１とを略同じ大きさとするような場合には、透明フィルム２２の綴じ部２５側に切り込みを形成し、この切り込みを挿脱口２３とする等してもよい。
【００６９】
図７乃至図９に示すように、各カタログカード７には、その一面（掲載面）に、商品Ｃに関する情報（商品Ｃの写真や絵、或いは商品Ｃの説明等）及びこの商品Ｃに対応する識別符号Ｎが夫々掲載されている。なお、識別符号Ｎは、対応する商品Ｃが他の商品Ｃと区別されるように設定すればよく、例えば、数字、文字、記号、或いはこれらの組合せ等とすることができる。カタログカード７は、袋体６の収容部２６に収容可能な大きさに形成されている。すなわち、本実施形態では、カタログカード７は、略葉書サイズに形成されている。各カタログカード７は、商品Ｃに関する情報を掲載した掲載面を外方に向けた状態で袋体６の各々収容部２６に１つずつ収容されている。カタログカード７の枚数は、掲載する商品Ｃの数により決定すればよい。なお、１枚のカタログカード７に１つの商品Ｃに関する情報及びこれに対応する識別符号Ｎを掲載してもよく、また、１枚のカタログカード７に複数の商品Ｃに関する情報及びこれらに対応する複数の識別符号Ｎを掲載してもよい。
【００７０】
図９に示すように、略葉書サイズに形成されたポストカード２０には、例えば、その一面に絵柄Ｄが印刷されているとともに、他面に切手を貼る領域を表示する印Ｘや郵便番号を記載する欄Ｙなどが印刷されている。ポストカード２０は、例えば、絵柄が印刷された面を外方に向けた状態で袋体６の収容部２６に１つずつ収容されている。このポストカード２０は、このアルバム式カタログオーダーギフト１の受取人が使用する目的で付録として付加されるものであり、その枚数は、任意に決定することができる。また、このポストカード２０は、カタログの挿入ページとしても機能させることができる。なお、カタログカード７とポストカード２０との収容部２６への封入順は任意であり、カタログカード７をまとめて封入した後に、余りの収容部２６にポストカード２０を封入してもよく、また、カタログカード７に織り交ぜてポストカード２０を封入してもよい。さらに、カタログカード７とポストカード２０とを対として、ポストカード２０をカタログカード７に対して所定の間隔で封入してもよい。
【００７１】
したがって、袋体６の枚数は、カタログカード７及びポストカード２０のトータル枚数と収容部２６の数とが等しく又はそれ以上となるように決定すればよい。なお、袋体６の収容部２６には、カタログカード７やポストカード２０だけでなく、例えば、贈与人から受取人へのメッセージを記載したメッセージカード等を収容するようにしてもよい。
【００７２】
図７に示すように、最も裏表紙部４側の袋体６と裏表紙部４の内面との間には、所望の識別符号Ｎを記載してギフト代行店等に申し込む申し込み葉書８が挟み込まれている。なお、申し込み葉書８の添付箇所は任意であり、例えば、最も表表紙部３側の袋体６と表表紙部３の内面との間に挟み込んでもよく、また、複数の袋体６のうちのいずれの袋体６の収容部２６に収容させてもよい。
【００７３】
ところで、袋体６の収容部２６にカタログカード７を収容する場合、カタログカード７をベースフィルム２１上において滑らせながら、挿脱口２３を介して収容部２６に挿入することでなされる（図８参照）。そのため、カタログカード７の挿脱の容易さを考えれば、ベースフィルム２１としては、表面の摩擦係数が小さい素材によって形成し、且つ、その表面に凹凸等の摩擦係数を大きくするような滑り止め加工を施さないのが望ましい。
【００７４】
しかしながら、ベースフィルム２１の表面の摩擦係数が小さい場合、挿脱口が袋体６の上側（辺６ａ側）に設けられていると、表紙２の上側を下方に向けた際に前記挿脱口を介してカタログカード７やポストカード２０が不用意に脱落するおそれがある。同様に、挿脱口が袋体６の下側（辺６ｂ側）に設けられていると、表紙２の下側を下方に向けた際に前記挿脱口を介してカタログカード７やポストカード２０が不用意に脱落するおそれがあり、挿脱口が前小口側（辺６ｃ側）に設けられていると、表紙２の前小口側を下方に向けた際に前記挿脱口を介してカタログカード７やポストカード２０が不用意に脱落するおそれがある。したがって、このような位置に挿脱口２３を設ける際には、ベースフィルム２１の表面に、凹凸等の摩擦係数を大きくするような滑り止め加工は施しておくのが好ましい。
【００７５】
また、カタログカード７やポストカード２０のセット作業の容易さを考慮すると、挿脱口２３は、第１の実施形態のアルバム式カタログオーダーギフト１のように、袋体６の綴じ部２５側に設けるのが好ましい。このようにすることにより、表紙２をどのような方向に向けても、カタログカード７の動きが表紙２の喉部（綴じ部２５）によって妨げられるので、カタログカード７が挿脱口２３から不用意に脱落し難い。しかも、ベースフィルム２１を摩擦係数が小さい素材によって形成することが可能となる。
【００７６】
また、上述のような袋体６は、例えば、挿脱口２３を互いに対向させるように配置された２組の袋体６からなる袋部材３０を形成することによって実現させることができる。袋部材３０は、複数個を連続して形成することができるので、袋部材３０により袋体６を実現させると、袋体６を安価に形成することができる。袋部材３０は、例えば、第１の実施形態で説明したようにすることで、複数個を連続して形成することができるため、重複する説明は省略する（図４参照）。また、このように形成した袋部材３０は、例えば、第１の実施形態で説明したようにすることで、表紙２に綴じることができるため、重複する説明は省略する（図５参照）。
【００７７】
このアルバム式カタログオーダーギフト１は、以下のようにして使用する。
【００７８】
ギフト代行店等がカタログを作る際には、所望のカタログカード７やポストカード２０を袋体６の各収容部２６に１つ１つ挿入させていく。上述のように、ベースフィルム２１には滑り止め加工等が施されていないため、カタログカード７やポストカード２０は、ベースフィルム２１上を良好に滑りながら挿脱口２３を介して袋体６の収容部２６に収容される。したがって、カタログカード７のセット作業が簡単である。
【００７９】
カタログカード７がセットされたアルバム式カタログオーダーギフト１は、贈与人からの指示により、受取人に配布される。受取人は、複数のカタログカード７に記載された複数の商品Ｃの中から所望の商品Ｃを選択する。複数の商品Ｃの中から所望の商品Ｃを選択する際は、表紙２に綴じられた袋体６をめくって各カタログカード７を閲覧する。商品Ｃを選択したら、選択した商品Ｃに対応する識別符号Ｎを添付されている申し込み葉書８に記載してギフト代行店等に申し込む。
【００８０】
商品Ｃ選択後は、ポストカード２０を袋体６から取り出し、これを使用することができる。また、カタログカード７を袋体６から取り出して破棄し、袋体６に、所望の写真、葉書、年賀状、名刺、カード、或いは、新聞・雑誌の切り抜きスクラップ等を収容させることで通常のアルバム或いはスクラップブックとして使用することができる。また、表表紙部３と額９との間に所望の写真等を差込むことで、写真立てとして使用することもできる。
【００８１】
上述のように、ベースフィルム２１の表面が滑らかであり、しかも、挿脱口２３と綴じ部２５との間が張出し部２１ａの幅分だけ離間されている。したがって、カタログカード７は、ベースフィルム２１上を良好に滑りながら挿脱口２３を介して袋体６の収容部２６から取り出される。したがって、カタログカード７の排除やポストカード２０の取り出しが簡単である。
【００８２】
また、結婚祝いのお返しの場合、裏表紙部４の背面に、新郎新婦の名前や結婚式の日時・場所等を印刷しておくと、上述のようにカタログカード７を破棄した後でも、そのアルバム式カタログオーダーギフト１を見れば誰の結婚祝いのお返しに贈られたものであるかがすぐにわかる。したがって、贈られた商品Ｃだけでなく、アルバム式カタログオーダーギフト１自体も記念の品となる。
【００８３】
さらに、アルバム式カタログオーダーギフト１の形状、色、印刷する言葉等に贈与人のセンスを生かすことができるため、贈与人の気持ちやあたたかさが受取人により伝わり易い。しかも、受取人側としては、所望の商品Ｃを受け取ることができる。
【００８４】
以上のように、本実施形態のアルバム式カタログオーダーギフト１によれば、商品Ｃ及びこの商品Ｃに対応する識別符号Ｎが夫々掲載されてなる複数のカタログカード７及び１以上のポストカード２０が、表紙２に綴じられた複数の袋体６内に収容されている。そのため、複数の商品Ｃの中から所望の商品Ｃを選択する際は、カタログとして使用できる。しかも、商品Ｃを選択した後には、袋体６からカタログカード７やポストカード２０を取り出し、この袋体６に、所望の写真、葉書、年賀状、名刺、カード、或いは、新聞・雑誌の切り抜きスクラップ等を収容させることで通常のアルバム或いはスクラップブックとして使用することができる。また、袋体６内には、ポストカード２０が収容されている。このポストカード２０は、カタログとして使用する際にカタログの１ページとなるだけでなく、ポストカード２０としても使用することができる。
【００８５】
さらに、本実施形態によれば、アルバム式カタログオーダーギフト１の形状、色、印刷する言葉等に贈与人のセンスを生かすことができるため、贈与人の気持ちやあたたかさが受取人により伝わり易い。しかも、受取人側としては、所望の商品Ｃを受け取ることができる。
【００８６】
したがって、本実施形態のアルバム式カタログオーダーギフト１によれば、カタログとして使用した後も、アルバム式カタログオーダーギフト１をアルバムやポストカードとして使用することができる。
【００８７】
また、この実施形態によれば、表表紙部３の前面に額９を設けているので、表表紙部３の前面にも所望の写真等等を収容することができる。しかも、表紙２が、背表紙部５の長手方向を設置面Ｆと直交させるように配置した状態で前記設置面Ｆに自立するように形成されているので、写真立てとしても使用することができる。
【００８８】
さらに、ベースフィルム２１は、その一端側（袋体６の辺６ｄ側）に表紙２に綴じられる綴じ部２５を有しているとともに、袋体６は、綴じ部２５側に収容部２６を外方に開放させる挿脱口２３を有している。そのため、一旦収容部２６に収容されたカタログカード７やポストカード２０は、その動きが綴じ部２５によって妨げられるので、表紙２の上側を下方に向けたり、表紙２の綴じ部２５側とは反対側（いわゆる前小口側）を下方に向けたりしても、カタログカード７やポストカード２０が挿脱口２３から不用意に脱落し難い。したがって、摩擦係数の小さい材料によりベースフィルム２１を形成することが可能となる。しかも、ベースフィルム２１に脱落防止用の滑り止め加工等を施す必要も無い。したがって、本実施形態のアルバム式カタログオーダーギフト１によれば、ベースフィルム２１上を滑らせながらカタログカード７を袋体６の収容部２６に収容することができるため、カタログを作る際のカタログカード７のセットを簡単に行うことができる。
【００８９】
また、摩擦係数の小さい材料によりベースフィルム２１を形成することが可能であるので、袋体６からのカタログカード７の取り出しもまた容易である。したがって、商品Ｃを選択した後には、袋体６から各カタログカード７を簡単に取り出すことができる。そして、この袋体６の収容部２６に、所望の写真、葉書、年賀状、名刺、カード、或いは、新聞・雑誌の切り抜きスクラップ等を収容させることで、通常のアルバム或いはスクラップブックとして使用することができる。
【００９０】
さらに、透明フィルム２２は、ベースフィルム２１を挟むように設けられているため、ベースフィルム２１の両面に収容部２６を設けることができる。したがって、１つの袋体６でより多くのカタログカード７等を収容することができる。
【００９１】
しかも、ベースフィルム２１は、その一端側に、透明フィルム２２の一端側の縁部よりも外側に張出す張出し部２１ａを有しているとともに、張出し部２１ａの縁部に綴じ部２５が設けられている。すなわち、挿脱口２３と綴じ部２５との間が張出し部２１ａの幅分だけ離間されているため、綴じ部２５を避けるようにカタログカード７等を大きく撓まることなく、カタログカード７等の挿脱させることができる。
【００９２】
以下、本発明の第４の実施形態を、図１０を参照して説明する。  
本実施形態では、表表紙部３及び裏表紙部４を、例えば略Ｂ５程度（２３〜２５ｃｍ程度×左右１８〜２０ｃｍ程度）としている。袋体６は、略葉書サイズの紙片が横置きで収容可能な収容部２６を有している。詳しくは、袋体６は、上下方向の略中間部に仕切り部２７を有している。これにより、袋体６には、略葉書サイズが収容可能な大きさの横長の収容部２６が上下に２つ設けられることとなる。つまり、１つの袋体６は、ベースフィルム２１と透明フィルム２２との間に表２つ裏２つの計４つの収容部２６を有している。
【００９３】
上述のように、本実施形態では、１つの袋体６に収容可能なカタログカード７及びポストカード２０のトータルの収容枚数が第３の実施形態が備える袋体６と比べて２倍である。したがって、１つの袋体ユニット４２を台座４１を介して表紙２に固定するようにしている。つまり、表表紙部３及び裏表紙部４の大きさが大きくなった分、背表紙部５の幅が小さく形成されている。なお、他の構成は、図示しない部分を含めて上述した第３の実施形態と同じであるから、重複する説明は図に同符号を付して省略する。本実施形態でも、第３の実施形態と同様の効果が得られる。
【００９４】
なお、第１乃至第４の実施形態では、ベースフィルム２１を不透明なフィルムにより形成しているが、ベースフィルム２１は透明であっても不透明であってもよい。また、透明フィルム２２は、ベースフィルム２１を挟むように、ベースフィルム２１の両面に積層させているが、透明フィルム２２は、ベースフィルム２１の表面及び裏面のうちの一方の面のみに積層させてもよい。
【００９５】
また、袋体６は、袋部材３０を採用することなく、１つずつ個々に形成してもよい。その場合には、ベースフィルム２１とこれを挟む一対の透明フィルム２２を用意し、一辺（例えば張り出し縁部２１ａ側となる一辺）以外の他の三辺を互いに接合させることで実現可能である。表紙２に綴じる袋体６の枚数は任意である。
【００９６】
さらに、第１乃至第４の実施形態のアルバム式カタログオーダーギフト１では、所望の商品Ｃに対応する識別符号Ｎを記載して該商品と引き換える引き換え手段として、申し込み手段（例えば、葉書）を用いているが、引き換え手段は、ギフトと引き換えるためのものであれば、申し込み手段に限定されるものではない。すなわち、引き換え手段は、ギフトの対価としても機能するものであり、引き換え券等のようなものであってもよい。
【００９７】
また、所望の商品Ｃに対応する識別符号Ｎを記載してギフト代行店に申し込むための申し込む手段として申し込み葉書を用いたが、前記申し込み手段は、葉書に限定されるものではない。前記申し込み手段は、所望の商品Ｃに対応する識別符号Ｎを記載してギフト代行店に申し込むことができるものであればよく、封書の郵便物等でもよい。
【００９８】
さらに、袋体は、上述した袋体６に限定されるものではなく、カタログカードやポストカードを出し入れ可能に収容可能な収容部を有するものであればよい。例えば、袋体としては、三方が閉塞された透明な袋体、不透明なベースフィルム上に透明フィルムを積層させるとともに三方を閉塞させた袋体等を用いてもよい。また、挿脱口は、必ずしも綴じ部側に設けなくてもよい。挿脱口は、袋体の上側、下側、或いは、綴じ部側とは反対側（いわゆる小口側）に開放するように設けても良い。
【００９９】
本発明のアルバム式カタログオーダーギフトは、カタログギフトのカタログとして使用できるのはもちろんのこと、例えば、通信販売等のカタログとしても利用することができる。
【図面の簡単な説明】
【０１００】
【図１】本発明の第１の実施形態にかかるアルバム式カタログオーダーギフトを設置面に自立させた姿勢で示す斜視図。
【図２】図１のアルバム式カタログオーダーギフトを開いた状態で示す斜視図。
【図３】図１のアルバム式カタログオーダーギフトからカタログカードを引抜く途中を示す斜視図。
【図４】図１のアルバム式カタログオーダーギフトが備える袋体の形成方法を説明する斜視図。
【図５】図１のアルバム式カタログオーダーギフトが備える袋体ユニットの形成方法を説明する斜視図。
【図６】本発明の第２の実施形態にかかるアルバム式カタログオーダーギフトを開いた状態で示す斜視図。
【図７】本発明の第３の実施形態にかかるアルバム式カタログオーダーギフトをカタログカードが収容されているページを開いた状態で示す斜視図。
【図８】図７のアルバム式カタログオーダーギフトからカタログカードを引抜く途中を示す斜視図。
【図９】図７のアルバム式カタログオーダーギフトをポストカード及びカタログカードが収容されているページを開いた状態で示す斜視図。
【図１０】本発明の第４の実施形態にかかるアルバム式カタログオーダーギフトを開いた状態で示す斜視図。
【符号の説明】
【０１０１】
１…アルバム式カタログオーダーギフト、  ２…表紙、  ６…袋体、  ７…カタログカード、  ８…申し込み葉書（引き換え手段）、  ２０…ポストカード、  ２１…ベースフィルム、  ２２…透明フィルム、  ２３…挿脱口、  ２１ａ…張出し部、  ２５…綴じ部、  ２６…収容部、  Ｃ…商品、  Ｎ…識別符号
【図１】
2005199686.tif 000003
【図２】
2005199686.tif 000004
【図３】
2005199686.tif 000005
【図４】
2005199686.tif 000006
【図５】
2005199686.tif 000007
【図６】
2005199686.tif 000008
【図７】
2005199686.tif 000009
【図８】
2005199686.tif 000010
【図９】
2005199686.tif 000011
【図１０】
2005199686.tif 000012